(57)【要約】【課題】床上に漂っている埃の捕集量を向上させることを目的とする。【解決手段】略箱形状の本体ケース２と、本体ケース２における前面に設けられた吸気口３と、天面に設けられた送風口４と、送風口４に可動自在に設けた第１の風向変更部材５と、第１の風向変更部材５を上下方向へ移動させる第１の駆動部と、送風部７と第１の風向変更部材５と第１の駆動部とを制御する制御部８とを備えている。第１の風向変更部材５は、送風口４に対向した面を備える天面部１６と、天面部１６から送風口４内の下方に延び、本体ケース２における背面側と左側面側と右側面側とを覆う側面部１７とを備えている。制御部８によって第１の空清運転が行われると、送風部７が動作し、第１の駆動部によって送風口４から第１の風向変更部材５が上方へ移動し、本体ケース２における前面側に本体ケース２の天面と天面部１６との間に隙間１８ができることを特徴とする。【選択図】図２
2017172852.tif 000002
【特許請求の範囲】
【請求項１】
略箱形状の本体ケースと、
前記本体ケースにおける前面に設けられた吸気口と、
前記本体ケースにおける天面に設けられた送風口と、
前記吸気口と前記送風口とを連通する風路に設けられた空気清浄部と、
前記吸気口から吸い込んだ空気を前記送風口へ送風する送風部と、
前記送風口に可動自在に設けた第１の風向変更部材と、
前記第１の風向変更部材を上下方向へ移動させる第１の駆動部と、
前記送風部と前記第１の風向変更部材と前記第１の駆動部とを制御する制御部とを備え、
前記第１の風向変更部材は、
前記送風口に対向した面を備える天面部と、
前記天面部から前記送風口内の下方に延び、前記本体ケースにおける背面側と左側面側と右側面側とを覆う側面部とを備え、
前記制御部によって第１の空清運転が行われると、
前記送風部の送風動作と、
前記第１の駆動部によって前記送風口から前記第１の風向変更部材が上方へ移動する移動動作とを行い、
前記本体ケースにおける前面側に前記本体ケースの天面と前記天面部との間にできた隙間から送風することを特徴とする空気清浄装置。
【請求項２】
前記第１の風向変更部材は、
前記天面部に開口した開口部を備え、
前記開口部には第２の風向変更部材が回動自在に設けられ、
前記第２の風向変更部材は第２の駆動部によって回動し、
前記制御部によって第２の空清運転が行われると、
前記送風部が動作し、
前記第１の駆動部によって前記第１の風向変更部材が下方へ移動し、
前記本体ケースの天面と前記天面部との間に隙間が無くなり、
前記第２の駆動部によって前記第２の風向変更部材の前記本体ケースにおける前面側が上方向に回動し、
前記開口部から送風することを特徴とする請求項１に記載の空気清浄装置。
【発明の詳細な説明】
【技術分野】
【０００１】
本発明は、空気を浄化することのできる空気清浄装置に関するものである。
【背景技術】
【０００２】
従来のこの種の空気清浄装置は、吸気口と送風口を有する略箱形状の本体ケースと、吸気口と送風口とを連通する風路に設けられた空気清浄部と、空気清浄部に吸気口から吸い込んだ空気を送風する送風部と、送風口に回動自在に設けた吹出ルーバーと、埃センサーとを設けた構成となっていた（例えば、特許文献１参照）。
【０００３】
空気清浄装置は、埃センサーより出力される粉塵の粒径の大きさに応じて吹出ルーバーを仰角方向に角度調整する制御部を備えることにより、粉塵をその粒径に適した気流により効果的に空気清浄部に到達させ、部屋の空気を清浄するものであった。
【先行技術文献】
【特許文献】
【０００４】
【特許文献１】特許第４８４０１８１号公報
【発明の概要】
【発明が解決しようとする課題】
【０００５】
このような従来の空気清浄装置においては、本体ケース上部の吹出ルーバーを回動させ、送風口から仰角方向へ清浄空気を送風し、本体ケース前面の吸気口から室内空気を吸い込む構成となっていた。送風口から吹き出した空気は、送風方向の天井、または壁に当たり下方へ流れ、この下方へ流れた空気は、更に床上を流れ、空気清浄装置の吸気口へもどる気流となる。床上に漂っている埃を更に捕集するために、床上を流れ空気清浄装置の吸気口へもどる気流の風速を更に増加させるという課題を有していた。
【０００６】
そこで、本発明は、上記従来の課題を解決するものであり、床上を流れ吸気口へ流れ込む気流の風速を更に増加させ、床上に漂っている埃の捕集量が向上する空気清浄装置を提供することを目的とする。
【課題を解決するための手段】
【０００７】
そして、この目的を達成するために、本発明は、略箱形状の本体ケースと、前記本体ケースにおける前面に設けられた吸気口と、前記本体ケースにおける天面に設けられた送風口と、前記吸気口と前記送風口とを連通する風路に設けられた空気清浄部と、前記吸気口から吸い込んだ空気を前記送風口へ送風する送風部と、前記送風口に可動自在に設けた第１の風向変更部材と、前記第１の風向変更部材を上下方向へ移動させる第１の駆動部と、前記送風部と前記第１の風向変更部材と前記第１の駆動部とを制御する制御部とを備え、前記第１の風向変更部材は、前記送風口に対向した面を備える天面部と、前記天面部から前記送風口内の下方に延び、前記本体ケースにおける背面側と左側面側と右側面側とを覆う側面部とを備え、前記制御部によって第１の空清運転が行われると、前記送風部の送風動作と、前記第１の駆動部によって前記送風口から前記第１の風向変更部材が上方へ移動する移動動作とを行い、前記本体ケースにおける前面側に前記本体ケースの天面と前記天面部との間にできた隙間から送風することを特徴としたものであり、これにより所期の目的を達成するものである。
【発明の効果】
【０００８】
本発明によれば、略箱形状の本体ケースと、前記本体ケースにおける前面に設けられた吸気口と、前記本体ケースにおける天面に設けられた送風口と、前記吸気口と前記送風口とを連通する風路に設けられた空気清浄部と、前記吸気口から吸い込んだ空気を前記送風口へ送風する送風部と、前記送風口に可動自在に設けた第１の風向変更部材と、前記第１の風向変更部材を上下方向へ移動させる第１の駆動部と、前記送風部と前記第１の風向変更部材と前記第１の駆動部とを制御する制御部とを備え、前記第１の風向変更部材は、前記送風口に対向した面を備える天面部と、前記天面部から前記送風口内の下方に延び、前記本体ケースにおける背面側と左側面側と右側面側とを覆う側面部とを備え、前記制御部によって第１の空清運転が行われると、前記送風部の送風動作と、前記第１の駆動部によって前記送風口から前記第１の風向変更部材が上方へ移動する移動動作とを行い、前記本体ケースにおける前面側に前記本体ケースの天面と前記天面部との間にできた隙間から送風することを特徴としたものである。
【０００９】
これにより、制御部によって第１の空清運転が行われると、送風部の送風動作と、第１の駆動部によって送風口から第１の風向変更部材が上方へ移動する移動動作とを行い、本体ケースにおける前面側に本体ケースの天面と天面部との間に隙間ができる。送風口から吹き出された空気は、第１の風向変更部材の天面部に当たり、天面部に沿って本体ケースの天面と天面部との隙間から吹き出し、ほぼ水平方向に吹き出るので、床上を流れ吸気口へ流れ込む気流の風速を更に増加させることができ、床上に漂っている埃の捕集量を向上させることできる。
【図面の簡単な説明】
【００１０】
【図１】本発明の実施の形態１の空気清浄装置の斜視図
【図２】同空気清浄装置の斜視図
【図３】同空気清浄装置の断面図
【図４】同空気清浄装置の斜視図
【発明を実施するための形態】
【００１１】
以下、本発明の実施の形態について図面を参照しながら説明する。
【００１２】
（実施の形態１）
図１は、本発明の実施の形態１に係る空気清浄装置の斜視図である。図２は、本発明の実施の形態１に係る空気清浄装置の斜視図である。図２は、第１の風向変更部材が上方に移動した状態である。
【００１３】
図１および図２に示すように、本実施の形態の空気清浄装置１は、縦長四角箱形状の本体ケース２を備え、本体ケース２の前面の下部に吸気口３を備え、本体ケース２の天面に横長四角形状の送風口４を設けている。この送風口４には、後述する第１の風向変更部材５を上下方向に可動自在に備えている。
【００１４】
図３は、本発明の実施の形態１に係る空気清浄装置の断面図である。図３に示すように、
本体ケース２内に空気清浄部６と、送風部７と、制御部８と、操作部９を備えている。
【００１５】
空気清浄部６は、吸気口３と送風口４とを連通する風路上で、本体ケース２の吸気口３近傍に設けられ、一例としては、空気清浄フィルタである。空気清浄部６は、プリーツ形状の濾材部（図示せず）と、この濾材部を固定する四角筒形状の枠部（図示せず）とから形成している。この濾材部を空気が通過すると、空気中の粉塵等が捕集されるものである。
【００１６】
送風部７は、空気清浄部６と本体ケース２の送風口４との間の風路に位置し、ケーシング部１０と、モーター部１１と、ファン部１２とから形成している。ケーシング部１０は、スクロール形状で、側面に円形状の吸込口１３を備え、上面に横長四角形状の吐出口１４を設けている。ケーシング部１０には、モーター部１１が固定されている。このモーター部１１の水平方向に伸びた軸部１５には、遠心送風タイプのファン部１２が固定されている。
【００１７】
モーター部１１によってファン部１２が回転すると、本体ケース２外の空気が、吸気口３から本体ケース２内に吸気され、空気清浄部６、送風部７とを順次介して送風口４へと送風されるものである。
【００１８】
操作部９は、本体ケース２の天面の送風口４より前面側に位置し、この操作部９の下方には、制御部８を備えている。操作部９の操作によって、制御部８は、送風部７の風量と、第１の風向変更部材５を移動させる第１の駆動部（図示せず）とを制御する。
【００１９】
本実施の形態における特徴は、送風口４に設けた第１の風向変更部材５の形状である。図２、３に示すように、第１の風向変更部材５は、第１の駆動部によって上下方向へ移動する。第１の風向変更部材５は、天面部１６と側面部１７とを備えている。天面部１６は、四角形状の平板で、送風口４に対向した面を備えている。側面部１７は、天面部１６から下方に延び、本体ケース２の上部外方の本体ケースにおける背面側と左側面側と右側面側とを覆う。側面部１７は、天面部１６の背面側端部、左側端部、右側端部から下方に延びた３枚の四角形状の平板が連結し、水平断面形状がコの字形状を成している。
【００２０】
操作部９の操作によって、第１の空清運転の信号が制御部８へ送られると、第１の駆動部によって送風口４から第１の風向変更部材が上方へ移動し、本体ケース２における前面側に本体ケース２の天面と、天面部１６との間に隙間１８ができる。この状態で、制御部８は、送風部７の送風動作によって、隙間１８から空気清浄部６を介した空気を送風する。
【００２１】
これにより、制御部８によって第１の空清運転が行われると、送風部７の送風動作と、第１の駆動部によって送風口４から第１の風向変更部材５が上方へ移動する移動動作とを行い、本体ケース２における前面側に本体ケース２の天面と天面部１６との間に隙間ができる。送風口４から吹き出された空気は、第１の風向変更部材５の天面部１６に当たり、天面部１６に沿って本体ケース２の天面と天面部１６との隙間から吹き出し、ほぼ水平方向に吹き出るので、床上を流れ吸気口３へ流れ込む気流の風速を更に増加させることができる。
【００２２】
この点について詳しく説明すると、室内で送風口４から仰角方向へ送風すると、送風口４から吹き出した空気は、送風方向の室内の天井、または壁に当たり下方へ流れ、この下方へ流れた空気は、更に床上を流れ、空気清浄装置１の吸気口３へもどる気流となる。このように、送風口４から室内の上方から下方を循環して吸気口３へもどる渦のような循環気流が発生する。送風口４からの吹き出し角度が仰角方向へ大きいものに比べると、送風口４からの吹き出し角度が仰角方向へ小さいものは、循環気流の渦の中心が下がる。循環気流の渦の中心が下がることにより、床上での本体の吸気口３へ流れ込む気流の垂直方向の高さが小さくなり、床上を流れ吸気口３へ流れ込む気流の風速を増加させることができるので、
結果として、床上での本体の吸気口３へ流れ込む気流の垂直方向の高さを小さくできると共に、吹き出し風速が増大できるので、床上での吸気口３へ流れ込む気流の風速を更に増加させることができ、床上に漂っている埃の捕集量が向上する。
【００２３】
図４は、本発明の実施の形態１に係る空気清浄装置の斜視図である。図４は、第２の風向変更部材が開口部を開いた状態である。
【００２４】
また、第１の風向変更部材５は、天面部１６に開口した開口部１９を備えている。開口部１９には第２の風向変更部材２０が回動自在に設けられ、第２の風向変更部材２０は第２の駆動部（図示せず）によって回動し、開口部１９を開閉する。
【００２５】
操作部９の操作によって、第２の空清運転の信号が制御部８へ送られると、制御部８は、第１の駆動部によって第１の風向変更部材５を下方へ移動させ、本体ケース２の天面と天面部１６との間に隙間が無くなる。続いて、第２の駆動部によって第２の風向変更部材２０の本体ケース２における前面側が上方向に回動する。この状態で、制御部８は、送風部７を動作させ、第２の風向変更部材２０が開いた開口部１９から上方へ空気清浄部６を介した空気を送風する。これにより、天井近くに漂っている埃を捕集できる。なお、本実施の形態では、第１の空清運転の後に、第２の空清運転を実施しているが、停止状態から第２の空清運転を実施した場合には、第１の風向変更部材５を下方へ移動させる動作は、行わない。また、第１の空清運転の後に、停止させると、第１の風向変更部材５を下方へ移動させる。また、第２の空清運転の後に、停止させると、第２の風向変更部材２０を下方へ回動させる。
【産業上の利用可能性】
【００２６】
以上のように本発明は、家庭用や事務用などの空気清浄装置等としての活用が期待されるものである。
【符号の説明】
【００２７】
１    空気清浄装置
２    本体ケース
３    吸気口
４    送風口
５    第１の風向変更部材
６    空気清浄部
７    送風部
８    制御部
９    操作部
１０    ケーシング部
１１    モーター部
１２    ファン部
１３    吸込口
１４    吐出口
１５    軸部
１６    天面部
１７    側面部
１８    隙間
１９    開口部
２０    第２の風向変更部材
【図１】
2017172852.tif 000003
【図２】
2017172852.tif 000004
【図３】
2017172852.tif 000005
【図４】
2017172852.tif 000006